(57)【要約】【課題】レベルワインダをスプールの回転に連動して移動させるタイプでありながら、ウォームシャフトの一端部に設けられたギアを第１本体部の方から出し入れでき、かつ、当該ギアの収容部の密閉性も確保した両軸受リールを提供する。【解決手段】レベルワインド機構を有する両軸受リールは、第１本体部１１０と、第２本体部１２０と、ウォームシャフト１５１と、レベルワインドパイプ１５２と、レベルワインダ１５３と、を備える。第２本体部１２０は、ウォームシャフトギア１２４を収容する第２収容部１２５Ｂを備える。第２収容部１２５Ｂは、レベルワインドパイプ１５２が入り込む、ウォームシャフトギア１２４よりも大きい第１開口部１２５ＢＡを備える。両軸受リールは、レベルワインドパイプ１５２と第１開口部１２５ＢＡの内壁面との間の隙間を埋める隙間埋め部１５４をさらに備える。【選択図】図３
2019058152.tif 000002
【特許請求の範囲】
【請求項１】
レベルワインド機構を有する両軸受リールであって、
スプールの一端を回転可能に支持し、ハンドルの回転を受けて前記スプールを回転させる第１本体部と、
前記スプールの他端を回転可能に支持する第２本体部であって、前記スプールの回転に連動して回転するギアを備える第２本体部と、
前記ギアが取り付けられ、前記ギアとともに回転するウォームシャフトと、
内部に前記ウォームシャフトが通り、前記ギアよりも小さい外径のレベルワインドパイプと、
前記ウォームシャフトの回転により往復移動するレベルワインダと、を備え、
前記第２本体部は、前記ギアを収容するギア収容部を備え、
前記ギア収容部は、前記レベルワインドパイプが入り込む、前記ギアよりも大きい開口部を備え、
前記レベルワインドパイプと前記開口部の内壁面との間の隙間を埋める隙間埋め部をさらに備える、
両軸受リール。
【請求項２】
前記隙間埋め部は、前記レベルワインドパイプとは別体の中空部材である、
請求項１に記載の両軸受リール。
【請求項３】
前記隙間埋め部は、前記レベルワインドパイプと一体的に形成されている、
請求項１に記載の両軸受リール。
【請求項４】
前記ギア収容部は、前記開口部の反対側が閉塞されている、
請求項１から３のいずれか１項に記載の両軸受リール。
【請求項５】
前記第２本体部は、前記スプールの回転を前記ギアに伝える１以上のギアと、前記スプールの前記他端を回転可能に支持するとともに、前記１以上のギアを収容する支持収容部と、をさらに備え、
前記ギア収容部は、前記支持収容部よりも小さく、前記支持収容部から突出した形状である、
請求項１から４のいずれか１項に記載の両軸受リール。
【発明の詳細な説明】
【技術分野】
【０００１】
本発明は、魚釣用の両軸受リールに関する。
【背景技術】
【０００２】
両軸受リールには、釣り糸を案内するレベルワインダをスプールの回転に連動して往復移動させるタイプのものがある。特許文献１には、このタイプの両軸受リールとして、スプールの一端を回転可能に支持し、ハンドルの回転を受けてスプールを回転させる第１本体部（第２カバー１３、側板１７、第１回転伝達機構４５など）と、前記スプールの他端を回転可能に支持する第２本体部であって、前記スプールの回転に連動して回転するギア（ギア部３５ｄ）を収容する第２本体部（第１カバー１１、側板１５、第１回転伝達機構４５など）と、を備える両軸受リールが開示されている。この両軸受リールは、前記のギアが取り付けられ、当該ギアとともに回転するウォームシャフト（トラバースカム軸３５ｂ）と、内部にウォームシャフトが通り、前記のギアよりも小さい外径のレベルワインドパイプ（ガイド部材３５ｃ）と、ウォームシャフトの回転により往復移動するレベルワインダ（釣り糸ガイド３５ａ）と、をさらに備える。
【先行技術文献】
【特許文献】
【０００３】
【特許文献１】特開２０１６−０６７２８３号公報
【発明の概要】
【発明が解決しようとする課題】
【０００４】
上記特許文献１が開示する両軸受リールでは、レベルワインドパイプが通る側板１７の開口の径が、当該レベルワインドパイプの外径と略同じであるため、当該両軸受リールをメンテナンス等で分解する又は組み立てる場合に、第２本体部に収容している前記のギアを第１本体部の方から第２本体部に対して出し入れ（第２本体部から出す、第２本体部に入れること）することができない。しかし、デザイン等の事情により、当該ギアを第１本体部の方から出し入れしたい場合がある。当該ギアを出し入れすることを考えた場合、第２本体部の構造を変更する必要があるが、当該ギアを収容している部分（ギア収容部）の密閉性は確保したい。
【０００５】
本発明は、上記実情に鑑みてなされたものであり、レベルワインダをスプールの回転に連動して移動させるタイプでありながら、ウォームシャフトの一端部に設けられたギアを第１本体部の方から出し入れでき、かつ、当該ギアの収容部の密閉性も確保した両軸受リールを提供することを目的とする。
【課題を解決するための手段】
【０００６】
上記目的を達成するため、本発明の両軸受リールは、
レベルワインド機構を有する両軸受リール（例えば、両軸受リール１００）であって、
スプール（例えば、スプール１３０）の一端を回転可能に支持し、ハンドル（例えば、ハンドル１４０）の回転を受けて前記スプールを回転させる第１本体部（例えば、第１本体部１１０）と、
前記スプールの他端を回転可能に支持する第２本体部であって、前記スプールの回転に連動して回転するギア（例えば、ウォームシャフトギア１２４）を備える第２本体部（例えば、第２本体部１２０）と、
前記ギアが取り付けられ、前記ギアとともに回転するウォームシャフト（例えば、ウォームシャフト１５１）と、
内部に前記ウォームシャフトが通り、前記ギアよりも小さい外径のレベルワインドパイプ（例えば、レベルワインドパイプ１５２、又は、レベルワインドパイプ１８１Ａ）と、
前記ウォームシャフトの回転により往復移動するレベルワインダ（例えば、レベルワインダ１５３）と、を備え、
前記第２本体部は、前記ギアを収容するギア収容部（例えば、第２収容部１２５Ｂ）を備え、
前記ギア収容部は、前記レベルワインドパイプが入り込む、前記ギアよりも大きい開口部（例えば、第１開口部１２５ＢＡ）を備え、
前記レベルワインドパイプと前記開口部の内壁面との間の隙間を埋める隙間埋め部（例えば、隙間埋め部１５４、又は、隙間埋め部１８１Ｂ）をさらに備える。
【０００７】
上記構成によれば、ギア収容部の開口部がギアよりも大きいので、ギアをギア収容部（第２本体部）の開口部を介して出し入れできる。当該開口部は、レベルワインドパイプが入り込むので、第１本体部側に空いている。従って、上記構成によれば、ギアを第１本体部の方から第２本体部に対して出し入れできる。また、開口部とレベルワインドパイプとの間に隙間埋め部を設けているので、ギア収容部の密閉性も確保できる。
【０００８】
前記隙間埋め部は、前記レベルワインドパイプとは別体の中空部材（例えば、隙間埋め部１５４）であっても良い。
【０００９】
この構成により、レベルワインドパイプと隙間埋め部とを別々に製造できる。
【００１０】
前記隙間埋め部は、前記レベルワインドパイプと一体的に形成されていても良い（例えば、パイプ状部材１８１のレベルワインドパイプ１８１Ａ及び隙間埋め部１８１Ｂ）。
【００１１】
この構成により、部品点数を少なくすることができる。
【００１２】
前記ギア収容部は、前記開口部の反対側が閉塞されていても良い。
【００１３】
この構成により、開口部の反対側に着脱可能なカバー部材を設ける必要が無い。
【００１４】
前記第２本体部は、前記スプールの回転を前記ギアに伝える１以上のギア（例えば、第１ギア１２１、第２ギア１２２及び第３ギア１２３）と、前記スプールの前記他端を回転可能に支持するとともに、前記１以上のギアを収容する支持収容部（例えば、第１収容部１２５Ａ）と、をさらに備え、
前記ギア収容部は、前記支持収容部よりも小さく、前記支持収容部から突出した形状である、
ようにしてもよい。
【００１５】
これにより、上記構成では、第２本体部全体を小さくすることができる。
【発明の効果】
【００１６】
本発明によれば、レベルワインダをスプールの回転に連動して移動させるタイプでありながら、ウォームシャフトの一端部に設けられたギアを第１本体部の方から出し入れでき、かつ、当該ギアの収容部の密閉性も確保した両軸受リールを提供することができる。
【図面の簡単な説明】
【００１７】
【図１】本発明の実施の形態１に係る両軸受リールの斜視図である。
【図２】本発明の実施の形態１に係る両軸受リールの正面図である。
【図３】本発明の実施の形態１に係る両軸受リールの断面図である。
【図４】本発明の実施の形態１に係る両軸受リールの第２本体部の内部構造の斜視図である。
【図５】本発明の実施の形態１に係る両軸受リールの第２本体部の第２収容部の斜視図である。
【図６】本発明の実施の形態１に係る両軸受リールの隙間埋め部の斜視図である。
【図７】本発明の実施の形態１に係る両軸受リールの第２本体部の収容部付近の拡大断面図である。
【図８】本発明の実施の形態２に係る両軸受リールの第２本体部の収容部付近の拡大断面図である。
【発明を実施するための形態】
【００１８】
（実施の形態１）
（両軸受リール１００の構成）
本発明の実施の形態１に係る魚釣り用の両軸受リール１００について、図面を参照して説明する。下記の説明において、両軸受リール１００が釣竿に取り付けられたときの釣竿側を「下」、その反対側を「上」とする。
【００１９】
両軸受リール１００は、図１から図３に示すように、第１本体部１１０と、第２本体部１２０と、スプール１３０と、ハンドル１４０と、ウォームシャフト１５１と、レベルワインドパイプ１５２と、レベルワインダ１５３と、隙間埋め部１５４と、第１ボールベアリング１５５と、第２ボールベアリング１５６と、第１連結部１６１と、第２連結部１６２と、リールフット１７０と、を備える。両軸受リール１００は、リールフット１７０により、釣竿に取り付けられる。
【００２０】
第１本体部１１０は、スプール１３０の一端を回転可能に支持する。また、第１本体部１１０には、ハンドル１４０が取り付けられている。第１本体部１１０は、内部にハンドル１４０の回転を受けてスプール１３０を回転させる回転機構（図示しない）を有する。この回転機構は、例えば、ハンドル１４０とともに回転するハンドル軸、及び、ハンドル軸の回転力を伝達する複数のギアを含んで構成されている。第１本体部１１０は、その他、クラッチ機構、メカニカルブレーキ、ドラグ機構等も備える。
【００２１】
第１本体部１１０は、円盤状の第１筐体部材１１１、及び、第１筐体部材１１１に取り付けられた第１カバー１１２も備える。第１筐体部材１１１と第１カバー１１２とにより、上記回転機構等を収容する第１本体部１１０の筐体が構成されている。第１筐体部材１１１は、レベルワインドパイプ１５２の一端を支持する切欠き１１１Ａを有する。
【００２２】
第２本体部１２０は、スプール１３０の他端を回転可能に支持する。したがって、第１本体部１１０と第２本体部１２０とは、スプール１３０を挟んで互いに間隔を空けて配置されている。第１本体部１１０と第２本体部１２０とは、第１連結部１６１と第２連結部１６２により連結されている。第１連結部１６１には、繰り出した釣り糸の長さを表示する水深カウンターなどが搭載されている。
【００２３】
第２本体部１２０は、図４に示すように、第１ギア１２１と、第２ギア１２２と、第３ギア１２３と、ウォームシャフトギア１２４とを備える。これらは、スプール１３０の回転をウォームシャフト１５１に伝達する回転伝達機構を構成する。図４では、各ギアを、円盤形状に描いており、歯の間の凹部は省略している。図４において、ギア同士で食い込んでいる部分は、ギアの歯同士がかみ合っていることを示す。
【００２４】
第１ギア１２１は、スプール１３０（例えば、スプール軸）に取り付けられており、当該スプール１３０とともに回転する。第２ギア１２２は、大径ギアと小径ギアとを有し、大径ギアが第１ギア１２１とかみ合っている。第３ギア１２３は、第２ギア１２２の小径ギアとかみ合っている。ウォームシャフトギア１２４は、第３ギア１２３とかみ合っている。ウォームシャフトギア１２４は、ウォームシャフト１５１の一端に取り付けられており、ウォームシャフト１５１とともに回転する。なお、ウォームシャフトギア１２４は、抜け止めＮによりウォームシャフト１５１に対して抜け止めされている。第１ギア１２１、第２ギア１２２、第３ギア１２３は、スプール１３０の回転をウォームシャフトギア１２４に伝達する。この伝達によりウォームシャフトギア１２４が回転し、ウォームシャフト１５１が回転する。
【００２５】
さらに、第２本体部１２０は、図１から図３に示すように、第２筐体部材１２５と第２カバー１２６とを備える。第２筐体部材１２５は、第１収容部１２５Ａと、第２収容部１２５Ｂとを備える。第１収容部１２５Ａと第２収容部１２５Ｂとは、一体的に形成されている。
【００２６】
第１収容部１２５Ａは、スプール１３０を、図示しないボールベアリングなどを介して回転可能に支持するとともに、円筒状の側壁を有し、上述した第１ギア１２１、第２ギア１２２、第３ギア１２３を収容する支持収容部である。第１収容部１２５Ａには、第２カバー１２６が取り付けられている。第２カバー１２６は、ドーム状であり、第１収容部１２５Ａ内部を覆う。第１収容部１２５Ａと第２カバー１２６とは、筐体を構成し、上述した第１ギア１２１、第２ギア１２２、第３ギア１２３以外の他の部品（例えば、水深カウンターの電池を収容する電池ケースなど）も収容する。
【００２７】
第２収容部１２５Ｂは、図５に示すように、第１収容部１２５Ａよりも小さく、第１収容部１２５Ａの側面から突出した形状となっている（図１〜３も参照）。そして、第２収容部１２５Ｂは、第１本体部１１０の方向に第１開口部１２５ＢＡを有し、第１収容部１２５Ａの方向に円形の第２開口部１２５ＢＢを有する。第２収容部１２５Ｂは、図３に示すように、ウォームシャフトギア１２４を内部に収容するギア収容部である。第１開口部１２５ＢＡの内径は、ウォームシャフトギア１２４の外径よりも大きく設計されている。第１収容部１２５Ａの内部と、第２収容部１２５Ｂの内部とは、第２開口部１２５ＢＢを介して連通しており、ウォームシャフトギア１２４は、第２開口部１２５ＢＢを介して第３ギア１２３とかみ合っている。なお、第２筐体部材１２５は、第１連結部１６１の下部と、第１本体部１１０の第１筐体部材１１１と一体的に形成されており、図５には、第１筐体部材１１１も描かれている。
【００２８】
ウォームシャフト１５１は、略円柱状に形成されており、外周面に２つの螺旋状の溝からなる螺旋溝１５１Ａを有する。当該２つの螺旋状の溝は、ウォームシャフト１５１の外周面全体に形成されており、交差している（往復螺旋状溝などとも呼ばれる）。図３では、螺旋溝１５１Ａが上下４箇所しか描かれていないが、実際の螺旋溝１５１Ａは、ウォームシャフト１５１の外周の全面に亘って形成されている。ウォームシャフト１５１は、クロスギアなどとも呼ばれる。ウォームシャフト１５１の一端には、第１ボールベアリング１５５が取り付けられ、他端には、第２ボールベアリング１５６、及び、ウォームシャフトギア１２４が取り付けられている。なお、第２ボールベアリング１５６とウォームシャフトギア１２４との間には、２つのワッシャＷ（図７参照）が介在しており、第２ボールベアリング１５６及びウォームシャフトギア１２４のがたつきが防止されている。
【００２９】
レベルワインドパイプ１５２は、一端が第１本体部１１０（切欠き１１１Ａ）に支持され、他端が第２本体部１２０（第１開口部１２５ＢＡ。詳しくは後述）により支持されている。レベルワインドパイプ１５２は、管状（パイプ状）の部材であり、内部にウォームシャフト１５１が通っている。レベルワインドパイプ１５２の両端の内壁には、ウォームシャフト１５１に取り付けられている第１ボールベアリング１５５および第２ボールベアリング１５６が嵌合している。従って、ウォームシャフト１５１は、レベルワインドパイプ１５２に対して回転可能である。ウォームシャフト１５１の回転軸は、レベルワインドパイプ１５２の中心軸に一致し、スプール１３０の回転軸に平行である。
【００３０】
レベルワインドパイプ１５２の外径は、ウォームシャフトギア１２４の外径及び第１開口部１２５ＢＡよりも小さい。レベルワインドパイプ１５２の他端は、第１開口部１２５ＢＡに入り込んでおり、レベルワインドパイプ１５２の外周面と第１開口部１２５ＢＡの内面との間には隙間が生じている。レベルワインドパイプ１５２は、レベルワインダ１５３が備える後述のピン１５３Ａがウォームシャフト１５１の螺旋溝１５１Ａに到達するための窓１５２Ａを、その下部に有する。
【００３１】
レベルワインダ１５３は、釣り糸をスプール１３０全体に均等に巻き付けるための案内具である。レベルワインダ１５３には、レベルワインドパイプ１５２及びウォームシャフト１５１が貫通している。レベルワインダ１５３は、内部に、ピン１５３Ａを備える。ピン１５３Ａは、レベルワインドパイプ１５２の窓１５２Ａに入り込んでおり、その先端がウォームシャフト１５１の螺旋溝１５１Ａの中に達している。
【００３２】
隙間埋め部１５４は、レベルワインドパイプ１５２における第２本体部１２０側の端部を覆い、レベルワインドパイプ１５２と第１開口部１２５ＢＡの内壁面との間の隙間を埋めるための管状の中空部材である。隙間埋め部１５４は、図６に示すように、円筒部１５４Ａと、円筒部１５４Ａの一端から内側に張り出した第１フランジ１５４Ｂと、円筒部１５４Ａの他端から外側に張り出した第２フランジ１５４Ｃと、を備える。円筒部１５４Ａの一部が、レベルワインドパイプ１５２と第１開口部１２５ＢＡの内壁面との間に介在することで、前記隙間が埋められている。
【００３３】
図７に示すように、第２フランジ１５４Ｃの外径は、第１開口部１２５ＢＡより大きくなっている。したがって、隙間埋め部１５４は、図７に示す位置よりも第２収容部１２５Ｂの内部（紙面の向かって右側）に入り込むことがない。一方、レベルワインドパイプ１５２の外径は隙間埋め部１５４の第１フランジ１５４Ｂの内径より大きい。したがって、レベルワインドパイプ１５２は、図７に示す位置よりも第２収容部１２５Ｂの内部に入り込むことがない。隙間埋め部１５４は、レベルワインドパイプ１５２の位置決め機能も有しており、レベルワインドパイプ１５２の他端は、隙間埋め部１５４を介して第２本体部１２０（第２収容部１２５Ｂ）に支持されている。
【００３４】
（両軸受リール１００の動作）
次に、両軸受リール１００の動作について説明する。ユーザが両軸受リール１００のハンドル１４０を回転する操作を行うと、その回転操作を受けてスプール１３０が回転する。スプール１３０が回転すると、第１ギア１２１、第２ギア１２２および第３ギア１２３が連動して回転し、第３ギア１２３にかみ合っているウォームシャフトギア１２４も回転する。ウォームシャフトギア１２４の回転によって、ウォームシャフト１５１も回転する。
【００３５】
ウォームシャフト１５１が回転すると、螺旋溝１５１Ａの中に入り込んでいるレベルワインダ１５３のピン１５３Ａは、当該螺旋溝１５１Ａに案内されて、ウォームシャフト１５１上を往復移動する。これによって、レベルワインダ１５３は、ウォームシャフト１５１の回転軸およびレベルワインドパイプ１５２の中心軸方向に往復移動する。
【００３６】
以上の動作をまとめると、次のようになる。ユーザがハンドル１４０を回転する操作を行うと、スプール１３０が回転し、レベルワインダ１５３に案内された釣り糸は、スプール１３０に巻かれる。このとき、レベルワインダ１５３がウォームシャフト１５１の回転軸に沿って移動することで、釣り糸が巻き取られる位置が変わる。したがって、ユーザがハンドル１４０を回転操作するだけで、釣り糸をスプール１３０の外周に均一に巻くことができる。
【００３７】
このようにして、ウォームシャフトギア１２４と、ウォームシャフト１５１と、レベルワインドパイプ１５２と、レベルワインダ１５３とは、協働して、釣り糸を案内するレベルワインド機構として機能する。また、このレベルワインド機構は、スプール１３０の回転に連動してレベルワインダ１５３が移動するスプール連動型のレベルワインド機構である。
【００３８】
（レベルワインド機構の分解など）
ユーザは、メンテナンス、部品交換等において、レベルワインド機構を分解及び組み立てすることができる。以下では、ユーザが、レベルワインド機構を分解する方法について説明する。下記の方法の逆の手順により、レベルワインド機構を組み立てることができる。なお、以下の説明において、ウォームシャフト１５１と、レベルワインドパイプ１５２と、隙間埋め部１５４と、第１ボールベアリング１５５と、第２ボールベアリング１５６と、抜け止めＮとからなる組を、ユニットＡと呼ぶ。
【００３９】
ユーザは、まず、第１本体部１１０の第１カバー１１２を第１筐体部材１１１から取り外し、中の回転機構等を取り外す。その後、レベルワインダ１５３が取り付けられた状態のユニットＡを、第１本体部１１０の方向（図７の向かって左側）に、ユニットＡにおける第１本体部１１０側の先端が第１本体部１１０と第２本体部１２０との間の中間付近に移動するまで引き抜く。このとき、レベルワインドパイプ１５２は、第１筐体部材１１１の切欠き１１１Ａの内壁に対して摺動しながら移動する。さらに、このとき、ウォームシャフトギア１２４などが、第１開口部１２５ＢＡを介して第２収容部１２５Ｂから取り出される。第１開口部１２５ＢＡが、ウォームシャフトギア１２４よりも大きいため、この取り出しが可能となっている。その後、ユニットＡに含まれる、ウォームシャフトギア１２４、隙間埋め部１５４、及び、抜け止めＮをウォームシャフト１５１から取り外す。その後、レベルワインダ１５３を取り外し、レベルワインドパイプ１５２を第１筐体部材１１１（切欠き１１１Ａ）から引き抜く。このとき、ウォームシャフト１５１、第１ボールベアリング１５５および第２ボールベアリング１５６も一緒に引き抜かれる。このようにして、レベルワインド機構を分解できる。
【００４０】
（実施の形態１の効果）
実施の形態１によれば、上記レベルワインド機構により、レベルワインダ１５３をスプール１３０の回転に連動して移動させることができる。さらに、第１開口部１２５ＢＡが、ウォームシャフトギア１２４よりも大きいため、ウォームシャフト１５１に取り付けられたウォームシャフトギア１２４を、第１開口部１２５ＢＡを介して、第１本体部１１０の方から第２本体部１２０（特に、第２収容部１２５Ｂ）に対して出し入れすることができる。さらに、隙間埋め部１５４により第２収容部１２５Ｂの密閉性も確保される。さらに、ユーザは、上述の分解方法によって、第２本体部１２０を分解することなく、レベルワインド機構を分解又は組み立てすることができる。
【００４１】
また、隙間埋め部１５４をレベルワインドパイプ１５２と別体として、中空部材とすることで、レベルワインドパイプ１５２と隙間埋め部１５４とを別々に製造できる。これにより、例えば、レベルワインドパイプ１５２をそのままとし、隙間埋め部１５４のみを交換できる。また、隙間埋め部１５４は、上述のように、レベルワインドパイプ１５２の位置決め部材としても使用できる。
【００４２】
また、実施の形態１では、第２本体部１２０の外形を、第２収容部１２５Ｂが第１収容部１２５Ａから突出する形状としており、これにより第２本体部１２０全体が小さくなっている。第２本体部１２０全体が小さいと、例えば、ユーザが両軸受リール１００をパーミングしやすいといった利点がある。
【００４３】
また、実施の形態１では、第２収容部１２５Ｂを袋形状としており、第２収容部１２５Ｂにおける第１開口部１２５ＢＡの反対側の部分が閉塞されている。これにより、第２収容部１２５Ｂの第１開口部１２５ＢＡの反対側の部分に開口を設ける必要がなく、第２収容部１２５Ｂの密閉性を確保できる。なお、第１開口部１２５ＢＡにより、ウォームシャフトギア１２４の取り出しは確保できる。
【００４４】
実施の形態１の構成では、第１ギア１２１、第２ギア１２２および第３ギア１２３を、第２カバー１２６側から出し入れすることが可能であるが、それに加え、ウォームシャフトギア１２４も、第２カバー１２６側（第１開口部１２５ＢＡの反対側）から出し入れする場合が考えられる（スプール連動型のレベルワインド機構の場合、このようなタイプが通常である）。しかし、このような場合、第２カバー１２６を第１収容部１２５Ａ及び第２収容部１２５Ｂに対応した形状しなければならない。第１収容部１２５Ａ及び第２収容部１２５Ｂは、第２収容部１２５Ｂが突出形状であるため、全体として複雑な形状であり、第２カバー１２６も複雑な形状となってしまう。このような場合、第２カバー１２６を、精度良く、第１収容部１２５Ａ及び第２収容部１２５Ｂ全体に接合させるように形成することは困難である。実施の形態１では、第２収容部１２５Ｂにおける第１開口部１２５ＢＡの反対側の部分が閉塞されているので、このような不都合は生じず、ウォームシャフトギア１２４の出し入れも、第１開口部１２５ＢＡにより確保できる。
【００４５】
（実施の形態２）
実施の形態１においては、隙間埋め部１５４が、レベルワインドパイプ１５２とは別体の中空部材である例を例示した。実施の形態２では、隙間埋め部が、レベルワインドパイプと一体的に形成されている。なお、本実施の形態では、実施の形態１と異なる部分を中心に説明する。
【００４６】
実施の形態２では、図８に示すように、レベルワインドパイプ１５２及び隙間埋め部１５４の代わりに、これらが一体となったパイプ状部材１８１が設けられている。パイプ状部材１８１は、レベルワインドパイプ１５２に相当する管状のレベルワインドパイプ１８１Ａと、隙間埋め部１５４に相当する管状の隙間埋め部１８１Ｂを備える。図８に示すパイプ状部材１８１の隙間埋め部１８１Ｂも、フランジ１８１Ｃを備え、したがって、レベルワインドパイプ１８１Ａは、図８に示す位置よりも第２収容部１２５Ｂの内部（図面右側）に入り込むことがない。なお、その他の構成は実施の形態１と同じであるため、説明を割愛する。
【００４７】
本実施の形態では、実施の形態１の隙間埋め部１５４に相当する部分が、レベルワインドパイプ１８１Ａと一体的に形成されている。これにより、少ない部品点数で本発明の目的を果たすことができる。
【００４８】
（変形例）
本発明は、上述した実施の形態に限定されるわけではなく、その他の種々の変更が可能である。例えば、上述した実施の形態の両軸受リール１００の第２収容部１２５Ｂは、第１収容部１２５Ａから突出した形状となっている。しかし、本発明の範囲はこれに限られず、例えば円筒状の収容部に、第１ギア１２１と、第２ギア１２２と、第３ギア１２３と、ウォームシャフトギア１２４とを収容してもよい。本発明は、さまざまな形状の第２収容部１２５Ｂおよび第２筐体部材１２５に適用可能である。第１本体部１１０の第１筐体部材１１１と第２本体部１２０の第２筐体部材１２５とを別部材としてもよい。第１収容部１２５Ａ及び第２収容部１２５Ｂは、複数の部品から構成されたものであってもよい。
【００４９】
上述した実施の形態の両軸受リール１００の第２収容部１２５Ｂは、第１開口部１２５ＢＡの反対側が閉塞されている。特に、第２収容部１２５Ｂは、第１収容部１２５Ａとは異なり、第１開口部１２５ＢＡの反対側の部分に開口を有さず、カバーが使用されていない。しかし、本発明の範囲はこれに限られず、第１開口部１２５ＢＡの反対側の部分も開口していても良い（この場合は、カバーで当該開口部を覆うようにする）。
【００５０】
上述した実施の形態の両軸受リール１００のレベルワインダ１５３には、レベルワインドパイプ１５２（又は、レベルワインドパイプ１８１Ａ。変形例について同じ。）が貫通している。しかし、本発明の範囲はこれに限られず、レベルワインダ１５３のピン１５３Ａが、ウォームシャフト１５１の螺旋溝１５１Ａに入り込んでいれば良い。レベルワインダ１５３に切り欠きを設け、その切り欠きにレベルワインドパイプ１５２が通った構成を採用してもよい。本発明は、さまざまな形状のレベルワインダ１５３に適用可能である。
【００５１】
上述した実施の形態の両軸受リール１００のレベルワインドパイプ１５２は窓１５２Ａを有する。窓１５２Ａの大きさおよび形状は任意である。窓１５２Ａを大きくし、レベルワインドパイプ１５２の断面を半円状としてもよい。このようなレベルワインドパイプ１５２も、管状と呼ぶ。その場合、レベルワインドパイプ１５２の径の大きさは、窓１５２Ａが無かったとした場合の形状から、推定できる大きさを意味するものとする。
【００５２】
第２収容部１２５Ｂの第１開口部１２５ＢＡの形状は、円形に限らず、四角形状等でもよい。
【符号の説明】
【００５３】
１００  両軸受リール
１１０  第１本体部
１１１  第１筐体部材
１１１Ａ  切欠き
１１２  第１カバー
１２０  第２本体部
１２１  第１ギア
１２２  第２ギア
１２３  第３ギア
１２４  ウォームシャフトギア
１２５  第２筐体部材
１２５Ａ  第１収容部
１２５Ｂ  第２収容部
１２５ＢＡ  第１開口部
１２５ＢＢ  第２開口部
１２６  第２カバー
１３０  スプール
１４０  ハンドル
１５１  ウォームシャフト
１５１Ａ  螺旋溝
１５２、１８１Ａ  レベルワインドパイプ
１５２Ａ  窓
１５３  レベルワインダ
１５３Ａ  ピン
１５４、１８１Ｂ  隙間埋め部
１５４Ａ  円筒部
１５４Ｂ、１８１Ｃ  第１フランジ
１５４Ｃ  第２フランジ
１５５  第１ボールベアリング
１５６  第２ボールベアリング
１６１  第１連結部
１６２  第２連結部
１７０  リールフット
１８１  パイプ状部材
【図１】
2019058152.tif 000003
【図２】
2019058152.tif 000004
【図３】
2019058152.tif 000005
【図４】
2019058152.tif 000006
【図５】
2019058152.tif 000007
【図６】
2019058152.tif 000008
【図７】
2019058152.tif 000009
【図８】
2019058152.tif 000010